(57)【要約】      （修正有）【課題】正イオン及び負イオンを共に利用して、毛髪のツヤを改善する毛髪のツヤ改善方法及び毛髪のツヤ改善装置を提供する。【解決手段】本発明に係る毛髪のツヤ改善方法は、放電により正イオンを発生させる正イオン発生手段と、放電により負イオンを発生させる負イオン発生手段とを用意し、正イオン発生手段及び負イオン発生手段がそれぞれ発生させた正イオン及び負イオンを、毛髪に照射することにより毛髪のツヤを改善する。【選択図】図３
2015039455.tif 000002
【特許請求の範囲】
【請求項１】
放電により正イオンを発生させる正イオン発生手段と、放電により負イオンを発生させる負イオン発生手段とを用意し、前記正イオン発生手段及び前記負イオン発生手段がそれぞれ発生させた正イオン及び負イオンを、毛髪に照射することにより該毛髪のツヤが改善することを特徴とする毛髪のツヤ改善方法。
【請求項２】
前記正イオンは、Ｈ＋（Ｈ2Ｏ）m（ｍは任意の自然数）であり、前記負イオンは、Ｏ2
−（Ｈ2Ｏ）n（ｎは０または任意の自然数）である請求項１に記載の毛髪のツヤ改善方法。
【請求項３】
前記正イオン発生手段及び前記負イオン発生手段がそれぞれ発生させた正イオン及び負イオンを含めて送風する送風機構を用意し、該送風機構が送風する請求項１または２に記載の毛髪のツヤ改善方法。
【請求項４】
放電により正イオンを発生させる正イオン発生手段と、放電により負イオンを発生させる負イオン発生手段とを備え、前記正イオン発生手段及び前記負イオン発生手段がそれぞれ発生させた正イオン及び負イオンを毛髪に照射するように構成してあることを特徴とする毛髪のツヤ改善装置。
【請求項５】
前記正イオンは、Ｈ＋（Ｈ2Ｏ）m（ｍは任意の自然数）であり、前記負イオンは、Ｏ2
−（Ｈ2Ｏ）n（ｎは０または任意の自然数）である請求項４に記載の毛髪のツヤ改善装置。
【請求項６】
前記正イオン発生手段及び前記負イオン発生手段がそれぞれ発生させた正イオン及び負イオンを含めて送風する送風機構をさらに備える請求項４または５に記載の毛髪のツヤ改善装置。
【請求項７】
前記送風機構が送る風を加熱する加熱手段をさらに備える請求項６に記載の毛髪のツヤ改善装置。
【発明の詳細な説明】
【技術分野】
【０００１】
本発明は、イオンにより毛髪のツヤを改善する毛髪のツヤ改善方法及び毛髪のツヤ改善装置に関するものである。
【背景技術】
【０００２】
多くの女性が美容に関して様々な悩みをもっており、その代表的なものに毛髪のツヤの改善がある。視覚的にツヤを改善するため、ヘアコンディショナーやヘアオイル等の化粧品を毛髪に塗布する方法が一般的である。
【０００３】
特許文献１に記載の毛髪化粧料は、脂肪酸エステル、油剤、界面活性剤の含有において、各成分に含まれる組成物の含有割合及び各成分の含有割合に特徴を備えている。この毛髪化粧料を毛髪に塗布することにより、ツヤだけでなく、しなやかな櫛通り、なめらかな感触、さらには塗布したにも関わらずべたつきの無さに優れ、これらの効果の持続性にも優れている。
【先行技術文献】
【特許文献】
【０００４】
【特許文献１】特開２０１３−７９２０５号公報
【発明の概要】
【発明が解決しようとする課題】
【０００５】
上述した毛髪化粧料によるツヤの改善は化粧料を消費するため、使用者は継続使用するために溶液を購入し続けなければならない。また、化粧料を毛髪に塗布する作業が面倒であるといった問題があった。
【０００６】
本発明は、斯かる事情に鑑みてなされたものであり、使用者が手軽に毛髪のツヤを改善できる毛髪のツヤ改善方法及び毛髪のツヤ改善装置を提供することを目的とする。
【課題を解決するための手段】
【０００７】
本発明に係る毛髪のツヤ改善方法は、放電により正イオンを発生させる正イオン発生手段と、放電により負イオンを発生させる負イオン発生手段とを用意し、正イオン発生手段及び負イオン発生手段がそれぞれ発生させた正イオン及び負イオンを、毛髪に照射することにより毛髪のツヤを改善する。
【０００８】
また好ましくは、正イオンは、Ｈ＋（Ｈ2Ｏ）m（ｍは任意の自然数）であり、負イオンは、Ｏ2−（Ｈ2Ｏ）n（ｎは０または任意の自然数）である。
【０００９】
また好ましくは、正イオン発生手段及び負イオン発生手段がそれぞれ発生させた正イオン及び負イオンを含めて送風する送風機構を用意し、送風機構が送風する。
【００１０】
本発明に係る毛髪のツヤ改善装置は、放電により正イオンを発生させる正イオン発生手段と、放電により負イオンを発生させる負イオン発生手段とを備え、正イオン発生手段及び負イオン発生手段がそれぞれ発生させた正イオン及び負イオンを毛髪に照射するように構成してある。
【００１１】
また好ましくは、正イオンは、Ｈ＋（Ｈ2Ｏ）m（ｍは任意の自然数）であり、負イオンは、Ｏ2−（Ｈ2Ｏ）n（ｎは０または任意の自然数）である。
【００１２】
また好ましくは、正イオン発生手段及び負イオン発生手段がそれぞれ発生させた正イオン及び負イオンを含めて送風する送風機構をさらに備える。
【００１３】
また好ましくは、送風機構が送る風を加熱する加熱手段をさらに備える。
【発明の効果】
【００１４】
本発明に係る毛髪のツヤ改善方法によれば、放電により発生する正イオン及び負イオンを毛髪に照射することで、毛髪のツヤを改善する化粧料によらなくても、手軽に毛髪のツヤを改善することができる。
【００１５】
また、本発明に係る毛髪のツヤ改善装置によれば、放電により発生する正イオン及び負イオンを毛髪に照射することで、毛髪のツヤを改善する化粧料によらなくても、手軽に毛髪のツヤを改善することができる。
【図面の簡単な説明】
【００１６】
【図１】本実施の形態に係るヘアドライヤの外観を示す斜視図である。
【図２】図１に示したヘアドライヤの側面図である。
【図３】図１に示したヘアドライヤの内部構造図である。
【図４】吸気口カバーを取り外した状態のヘアドライヤの背面図である。
【図５】イオン発生装置の外観を示す斜視図である。
【図６】毛髪サンプルのツヤ値の変化を測定した結果を示すグラフである。
【発明を実施するための形態】
【００１７】
〔本実施の形態１〕
以下に本発明をその実施の形態を示す図面に基づき説明する。
【００１８】
図1は、本発明に係る毛髪のツヤ改善方法及び毛髪のツヤ改善装置の実施の形態
であるヘアドライヤ（美容機器）の外観を示す斜視図であり、図２は、ヘアドライヤの側面図である。ヘアドライヤは、筒状のハウジング１にグリップ２を取り付けた構成になっている。ハウジング１の一端は吸気口１１になっており、他端は排気口１２になっている。吸気口１１には、網板状の吸気口カバー１３が取り付けられている。吸気口カバー１３を通過した空気が吸気口１１からハウジング１内へ吸入される。排気口１２の付近はノズル状になっている。グリップ２には、使用者がヘアドライヤを動作させるために操作するスイッチ２１及び２２が設けられている。また、グリップ２には、図示しない電源コードを保護するコードブッシュ２３が設けられている。グリップ２には電源コードが連結されており、ヘアドライヤは電源コードを介して外部から電力を供給される。
【００１９】
図３は、へアドライヤの内部構造図である。図３には、ヘアドライヤ内の側断面を示している。ハウジング１の内部には、ハウジング１の筒長方向に送風する送風ファン３が配置されている。送風ファン３は、回転翼３１を有している軸流ファンである。送風ファン３が動作することによって、外部の空気が吸気口１１から吸入され、ハウジング１内に気流が発生し、排気口１２から気流が排出される。送風ファン３の回転軸は、ハウジング１の筒長方向に平行である。送風ファン３と排気口１２との間には、ヒータ４（加熱手段）が配置されている。ヒータ４は、ハウジング１の筒長方向に沿って配置された支持板に電熱線を巻き付けた構成となっている。ヒータ４はハウジング１内の空気を加熱し、排気口１２から排出される気流を温風にする。
【００２０】
図４は、吸気口カバー１３を取り外した状態のヘアドライヤの背面図である。ここでは、ハウジング１の排気口１２側を正面側とし、吸気口１１側を背面側としている。図４では、グリップ２を省略しており、ハウジング１内の構成のうちで吸気口１１を通して背面側から見えるものを示している。ヘアドライヤは、ハウジング１内に空気イオンを発生させるイオン発生装置６を備えている。イオン発生装置６は、ハウジング１内の空間のうち、送風ファン３と吸気口１１との間の位置に配置されており、ハウジング１内の一部を塞いでいる。また、図４に示すように、イオン発生装置６は、ハウジング１の内面の周方向の一部に連結されている。
【００２１】
図５は、イオン発生装置６の外観を示す斜視図である。イオン発生装置６は樹脂性のカバー６１により覆われる。カバー６１内には第１放電電極６２ａ、第１誘導電極６２ｂ、第２放電電極６３ａ、第２誘導電極６３ｂ及び駆動回路を実装した回路基板（不図示）が配される。第１放電電極６２ａ及び第１誘導電極６２ｂにより正イオン発生手段６２が構成され、第２放電電極６３ａ及び第２誘導電極６３ｂにより負イオン発生手段６３が構成される。
【００２２】
第１放電電極６２ａ及び第２放電電極６３ａは針状に形成された針状電極であり、所定の間隔で並設される。第１誘導電極６２ｂは第１放電電極６２ａを中心とする環状に形成され、第１放電電極６２ａに対向する。第２誘導電極６３ｂは第２放電電極６３ａを中心とする環状に形成され、第２放電電極６３ａに対向する。
【００２３】
第１放電電極６２ａと第１誘導電極６２ｂとの間に正の高電圧が印加されてコロナ放電が発生し、コロナ放電によって第１放電電極６２ａの周囲に正の空気イオンが発生する。第２放電電極６３ａと第２誘導電極６３ｂとの間に負の高電圧が印加されてコロナ放電が発生し、コロナ放電によって第２放電電極６３ａの周囲に負の空気イオンが発生する。
【００２４】
本実施形態であるヘアドライヤにおいては、正側の第１放電電極６２ａからは、空気中の水分子とクラスタリングした水素イオンＨ＋（Ｈ２Ｏ）ｍ（ｍは任意の自然数）が主として発生する。負側の第２放電電極６３ａからは、空気中の水分子とクラスタリングした酸素イオンＯ２−（Ｈ２Ｏ）ｎ（ｎは０または任意の自然数）が主として発生する。
【００２５】
イオン発生装置６は、ハウジング１内の空気中に、正及び負の空気イオンを発生させる。イオン発生装置６が発生させた空気イオンは、吸気口１１からハウジング１内へ吸入された空気中に放出され、空気イオンを含んだ気流が排気口１２から排出される。
【００２６】
なお、本実施の形態におけるヘアドライヤでは、イオン発生装置６は、ハウジング１内の空間のうち、送風ファン３と吸気口１１との間の位置に配置されているが、送風ファン３よりも送風方向下流側に配置してもよい。また、ヒータ４により加熱された気流を排気口１２から排出する流路とは別の流路を設け、その流路の中にイオン発生装置６を設けてもよい。その際、送風ファン３が動作することによって発生する気流を用いてイオンを放出してもよいし、別途図示しないイオン専用のファンを設けてもよい。
【００２７】
以下に、このような構成のヘアドライヤの動作を説明する。このヘアドライヤは、スイッチ２１をスライド動作させることで停止、冷風モード、温風モードの３つの状態を切り替えることができる。スイッチ２１が操作され、冷風モードまたは温風モードが選択されると、送風ファン３及びイオン発生装置６が動作する。
【００２８】
送風ファン３は、吸気口１１から吸い込んだ空気を排気口１２から送出する。温風モードが選択されたときは、髪を乾燥させるための温風を生成させるためヒータ４が稼働され、ヒータ４はハウジング１内の空気を加熱する。
【００２９】
ヘアドライヤが排出した気流は使用者の毛髪に照射され、気流に含まれる正負の空気イオンによって、毛髪の除電及び保湿が促進される効果が得られる。Ｈ＋（Ｈ２Ｏ）ｍと負イオンＯ２−（Ｈ２Ｏ）ｎとの結合により発生する水分及び両イオンにクラスタリングしている水分は、一般的に認識される水と異なり、分子レベルの大きさである為、髪の表面組織に関係なく、内部にまで浸透することで、水分量を直接的に増加させるものと考えられる。また、一般的に、放電によるイオン発生装置では、様々な種類のイオンが発生し得るが、毛髪への影響を考えると、窒素酸化物の発生は少ないほうが好ましい。
【００３０】
（検証）
以下に、イオン発生装置６が発生させた正イオン、負イオンを温風と共に毛髪に照射したときの毛髪のツヤの改善効果を確認する実験を行ったので、その内容を示す。
【００３１】
（評価尺度）
一般的に、人は、毛髪が拡散反射する部位に対し、鏡面反射（毛髪の法線方向に拡散される反射）される部位とのコントラスト（いわゆる天使の輪）からツヤの状態を判断している。毛髪表面のキューティクルが傷ついたり、欠け落ちたりすると、拡散反射の輝度が高くなる一方、鏡面反射の輝度は低くなる。本実験では、毛髪に変角照射した場合の反射光分布における最大輝度値（ｃｄ／ｍ２）に対し、毛髪の鏡面反射の輝度（ｃｄ／ｍ２）を除した値をツヤ値と定義する。
ツヤ値  ＝  反射光分布における最大輝度値（ｃｄ／ｍ２）／鏡面反射輝度（ｃｄ／ｍ２）
【００３２】
（実験条件）
イオン照射
本実施の形態１に係るヘアドライヤを用い、正イオン、負イオンと共に送風した場合の毛髪への影響を確認するための試験を行った。比較対象として、このドライヤにより送風のみした場合と、負イオンの送風が可能な市販のヘアドライヤを用いて負イオンと共に送風した場合の計３通りで試験を行った。本実施の形態１に係るヘアドライヤは、排気口付近の温度が約１１５℃となる温風モードとした。１度ブリーチした毛髪の束を毛髪サンプルとし、１００回／分の速さでブラッシングを行いながら、８分間の送風を行った（８００回のブラッシングは約１ヶ月分に相当）。排気口から毛髪までの距離は約１５ｃｍとし、イオン濃度は正負イオンともに約２３０万個／ｃｍ３（最大３００万個／ｃｍ３）であった。
【００３３】
ツヤ値の測定
送風後、毛髪サンプルから選定した太さの近い１１本を測定サンプルとしてツヤ値を測定した。測定装置は、自動変角光度計（ＧＰ−２００：株式会社村上色彩技術研究所製）を使用した。測定サンプルに対し、入射角３０°で光を照射し、受光部は０°〜９０°まで変角させて反射光分布を測定した。鏡面反射の輝度は、入射角０°で光を照射し、受光部０°で受光した場合の値とした。
【００３４】
（実験結果）
本実施の形態１に係るヘアドライヤを用い、毛髪に正イオン、負イオンと共に送風した場合、送風のみした場合、そして市販のドライヤを用い負イオンと共に送風した場合におけるツヤ値の変化を測定した結果を図６に示す。
【００３５】
イオン照射前（または送風前）におけるツヤ値は１７．９であった。これに対し８分間送風のみした場合はツヤ値が１７．３と低下した。また、負イオンと共に送風した場合はツヤ値が１６．７とさらに低下した。一方、正イオン、負イオンと共に送風した場合はツヤ値が１８．１に上昇した。正負のイオンを照射した毛髪サンプルは、イオンを照射していない毛髪サンプル及び負イオンのみ照射した毛髪サンプルに比べてツヤが改善する効果が得られた。
【００３６】
ヘアドライヤによる８分間の正負イオンの照射によって、イオンを照射していない場合や負イオンのみ照射した場合と比べ、毛髪のツヤ値が高いため、特に女性が毛髪のスタイリングを行うときや、洗髪後に毛髪を乾燥させるとき、本実施の形態１に係るヘアドライヤを用いるだけで毛髪のツヤを改善させることができる。
【００３７】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００３８】
〔本実施の形態２〕
なお、本実施の形態１では毛髪のツヤ改善装置としてヘアドライヤを用いたが、ツヤ改善装置としてはヘアドライヤに限らず、例えばイオン発生機能付きヘアアイロンであってもよい。
【００３９】
〔本実施の形態３〕
また、毛髪のツヤ改善装置として、イオン発生機能付きのフェイススチーマであってもよい。
【００４０】
〔本実施の形態４〕
さらに、毛髪のツヤ改善装置として、イオン発生機能付きの業務用髪乾燥機であってもよい。
【産業上の利用可能性】
【００４１】
本発明によると、イオンを毛髪に照射する装置に利用することができる。
【符号の説明】
【００４２】
１    ハウジング
１１  吸気口
１３  吸気口カバー
２    グリップ
３    軸流ファン
４    ヒータ
６    イオン発生装置
６２  正イオン発生手段
６３  負イオン発生手段
【図１】
2015039455.tif 000003
【図２】
2015039455.tif 000004
【図３】
2015039455.tif 000005
【図４】
2015039455.tif 000006
【図５】
2015039455.tif 000007
【図６】
2015039455.tif 000008